(57)【要約】【課題】ポップコーン調理用包装体を電子レンジに入れやすくする。【解決手段】トウモロコシ粒を封入した原料封入体（１）と、原料封入体（１）からトウモロコシ粒が移し替えられる調理用紙袋（２）と、原料封入体（１）及び調理用紙袋（２）を収納する箱（３）とを具備する。調理時に原料を調理用紙袋（２）に移し替えるので、狭い電子レンジ内へ適度な容積に加減して円滑に入れることができる。【選択図】      図９
2004307017.tif 000002
【特許請求の範囲】
【請求項１】
トウモロコシ粒を封入した原料封入体と、原料封入体からトウモロコシ粒を移し替えるための調理用紙袋と、原料封入体及び調理用紙袋を収納する箱とを具備したことを特徴とするポップコーン調理用包装体。
【請求項２】
原料封入体に調味料が加えられるか又は調味料を封入した調味料封入体が箱に収納されたことを特徴とする請求項１記載のポップコーン調理用包装体。
【請求項３】
箱が直方体であって、側面及び／又は天面の一部が切り取り線により切り離される構造を有し、切り離された後の箱残部の構造体は電子レンジ加熱時にトウモロコシ粒入り調理用紙袋用架台であって、該紙袋を載置した際、該紙袋をほぼ水平に保ち、かつ該紙袋底面と架台底面との間に空間を有する構造であることを特徴とする請求項１又は請求項２記載のポップコーン調理用包装体。
【請求項４】
トウモロコシ粒入り調理用紙袋が架台に載置された状態の該紙袋底面と該架台底面との間の空間は高さ５乃至２０ｍｍである請求項３に記載のポップコーン調理用包装体。
【請求項５】
箱の天面及び一対の対向側面上を連なって伸びる開蓋用の切り取り線と、天面上の切り取り線と共に開封用ジッパーを形成し、開封後に調理用紙袋の底面の支持縁となる他の切り取り線と、箱の天面上を切り取り線上から反開蓋側の側面へと伸び、切断後に調理用紙袋の周面の支持縁となる二本の切り取り線と、二本の切り取り線に連なるように反開蓋側の側面上を伸び、切断後に調理用紙袋の開口部を挟持する溝となる切り取り線とが箱に設けられたことを特徴とする請求項３に記載のポップコーン調理用包装体。
【発明の詳細な説明】
【０００１】
【発明の属する技術分野】
本発明は、ポップコーン調理用包装体に係り、特に電子レンジによる調理に適したポップコーン調理用包装体に関する。
【０００２】
【従来の技術】
従来、ポップコーン調理用包装体はプラスチックフィルム製の袋として形成されていた。この袋内にトウモロコシ粒と調味料が充填され密封された状態で消費者に提供され、消費者はこの密封袋をそのまま電子レンジ内に入れて加熱すれば直ちにポップコーンを得ることができるというものであった（例えば、特許文献１参照。）。
【０００３】
また、従来ポップコーン調理用包装体は紙箱として形成される場合もあり、消費者はトウモロコシ粒を紙箱ごと電子レンジ内に入れて調理しポップコーンとすることができるというものであった（例えば、特許文献２参照。）。
【０００４】
【特許文献１】
特開昭６３−１２５１７８号公報
【特許文献２】
実用新案登録第２５９９００８号公報
【０００５】
【発明が解決しようとする課題】
ポップコーン調理用包装体としてプラスチックフィルム製袋を用いる場合は、調理時に袋自体が破裂しないように袋の一部にシールを弱めた箇所を作る必要があるので、保管、運搬等の際不具合が生じる。また、袋はトウモロコシ粒を入れた状態で空気を抜き容積を小さくしてあるので、電子レンジ内でトウモロコシ粒が弾け難くなる。
【０００６】
ポップコーン調理用包装体として紙箱を用いる場合は、運搬中、調理中等に内容物の油分等が漏れ出すおそれがある。また、紙箱は比較的容積が大きく剛性が比較的高いので電子レンジ内に入れにくい場合がある。
【０００７】
本発明は、上記問題点を解決することができるポップコーン調理用包装体を提供することを目的とする。
【０００８】
【課題を解決するための手段】
上記目的を達成するため、請求項１に係る発明は、トウモロコシ粒を封入した原料封入体（１）と、原料封入体（１）からトウモロコシ粒が移し替えられる調理用紙袋（２）と、原料封入体（１）及び調理用紙袋（２）を収納する箱（３，５８，６３）とを具備したポップコーン調理用包装体を採用する。
【０００９】
この請求項１に係る発明によれば、トウモロコシ粒を原料封入体（１）に封入し、この原料封入体（１）を別個の調理用紙袋（２）と共に箱（３，５８，６３）に入れて保管、運搬等を行い、調理時に原料封入体（１）を開封するので、原料の鮮度、品質を適正に維持することができる。また、調理時に原料を調理用紙袋（２）に移し替えるので、狭い電子レンジ内へ適度な容積に加減して円滑に入れることができる。
【００１０】
また、請求項２に係る発明は、請求項１に記載のポップコーン調理用包装体において、原料封入体（１）に調味料が加えられるか又は調味料を封入した調味料封入体（４）が箱（３，５８，６３）に封入されたポップコーン調理用包装体を採用する。
【００１１】
この請求項２に係る発明によれば、調味料が調理用紙袋（２）と別個に箱（３，５８，６３）内に収納され保管、運搬等されるので、調味料の例えば油分の漏れ出しが防止される。また、電子レンジで加熱後に調味するため、焦げつき等の不快な風味の発生を防ぐと共に、好みの味付けをすることができる。
【００１２】
また、請求項３に係る発明は、箱（３，５８，６３）が直方体であって、側面及び／又は天面の一部が切り取り線により切り離される構造を有し、切り離された後の箱（３，５８，６３）残部の構造体は電子レンジ加熱時にトウモロコシ粒入り調理用紙袋（２）用架台であって、該紙袋（２）を載置した際、該紙袋（２）をほぼ水平に保ち、かつ該紙袋（２）底面と架台底面との間に空間を有する構造である請求項１又は請求項２に記載のポップコーン調理用包装体を採用する。
【００１３】
この請求項３に係る発明によれば、箱（３）の開封部を開封し、原料封入体（１）と調理用紙袋（２）を取り出し、調理用紙袋（２）に原料を移し替え、調理用紙袋（２）を箱（３，５８，６３）の開封部に水平かつ箱（３，５８，６３）の底面との間に空間を保った状態で装着して箱（３，５８，６３）ごと電子レンジ内に入れることができる。従って、電子レンジ内で調理中に調理用紙袋（２）の位置及び姿勢を適正に保持することができ、また調理後箱（３，５８，６３）を持って調理用紙袋（２）を電子レンジ外に取り出すことができる。
【００１４】
また、請求項４に係る発明は、請求項３に記載のポップコーン調理用包装体において、調理用紙袋（２）を箱（３，５８，６３）底面から高さ５乃至２０ｍｍの空間を保持して固定することができるように形成されたポップコーン調理用包装体を採用する。
【００１５】
この請求項４に係る発明によれば、調理用紙袋（２）を箱（３，５８，６３）底面から高さ５乃至２０ｍｍの空間を保持して固定することで、トウモロコシ粒が弾けやすくなり、弾け残りが低減する。より好ましくは高さ５乃至１０ｍｍの空間を保持して固定すると良い。
【００１６】
また、請求項５に係る発明は、箱の天面（２７）及び一対の対向側面（２８，３０）上を連なって伸びる開蓋用の切り取り線（４２，４３，４４）と、天面（２７）上の切り取り線（４２）と共に開封用ジッパーを形成し、開封後に調理用紙袋の底面の支持縁となる他の切り取り線（４１）と、箱の天面（２７）上を切り取り線（４２）上から反開蓋側の側面へと伸び、切断後に調理用紙袋の周面の支持縁となる二本の切り取り線（４５，４６，４７，４８，４９，５０）と、二本の切り取り線（４５，４６，４７，４８，４９，５０）に連なるように反開蓋側の側面上を伸び、切断後に調理用紙袋の開口部を挟持する溝となる切り取り線（５２，５３）とが箱に設けられた請求項３に記載のポップコーン調理用包装体を採用する。
【００１７】
この請求項５に係る発明によれば、天面（２７）上の開封用ジッパーを切り取り線（４１，４２）に沿って引き裂き、一対の対向側面（２８，３０）上の切り取り線（４３，４４）を破断させ、破断部で押し開くことにより箱の開蓋が行われ、中身の取り出しが可能になる。次に、天面（２７）上の二本の切り取り線（４５，４６，４７，４８，４９，５０）を破断させ両切り取り線で挟まれた箇所を除去することで、天面（２７）上に調理用紙袋を収納する空洞が形成される。また、反開蓋側の側面上の切り取り線（５２，５３）を破断させることで、この側面上に溝が形成される。トウモロコシ粒等を入れ開口部を閉じた調理用紙袋を横向きに天面（２７）上にあてがうと、調理用紙袋の周面が二本の切り取り線（４５，４６，４７，４８，４９，５０）の破断縁に挟まれ、調理用紙袋の底面が、切り取り線（４１）の破断後の支持縁に支持され、調理用紙袋の開口部が切り取り線（５２，５３）の破断後の溝内に挟まれる。このように、開封後の箱（３）残部の構造体を調理用紙袋の架台として利用することができ、この架台ごと紙袋（２）を電子レンジ内に収納し、電子レンジ内で浮かせた状態で加熱することができるので、適正なポップコーンの調理を行うことができる。
【００１８】
【発明の実施の形態】
次に、本発明の実施の形態について図面を参照して説明する。ただし、本発明は以下に説明する形態に限定されるものではなく、例えば箱の形態として図に示すものに限定されることなく各種の立方体形や直方体形の箱について本発明は適用可能である。
【００１９】
＜実施の形態１＞
図１に示すように、このポップコーン調理用包装体は、乾燥したトウモロコシ粒を封入した原料封入体１と、原料封入体１からトウモロコシ粒が移し替えられる調理用紙袋２と、原料封入体１及び調理用紙袋２を収納する箱３とを具備する。
【００２０】
原料封入体１と調理用紙袋２は共に箱３に入れられて一体で保管、運搬等される。後述するように、調理時に箱３が開封され、原料封入体１が箱３外に取り出されて開封され、その内容物が拡げた調理用紙袋２に移し替えられ、調理用紙袋２が箱３の一部を切り離された後の調理用紙袋用架台と一体で電子レンジ（図示せず）内へ入れられる。
【００２１】
原料封入体１は、乾燥した多くのトウモロコシ粒（図示せず）を封入した袋であり、箱３内に挿入可能に扁平に形成される。この原料封入体１内にはトウモロコシ粒のほか必要に応じて調味料等が入れられる。調味料がこの袋内に入れられない場合は、調味料を封入した調味料封入体４がこの原料封入体１と共に箱３に入れられる。調味料としては、油、塩等が使用され、これらが調味料封入体４である袋内に封入される。調味料を調理用紙袋２と別個に箱３内に入れるようにすると、保管、運搬時等に調味料の例えば油分の漏れ出しがより好適に防止される。原料封入体１や調味料封入体４は箱状に形成してもよい。
【００２２】
調理用紙袋は２、図１に示すように、扁平に折り畳まれた状態で箱３内に入れられ、使用に際し箱３外に取り出されて図２（Ａ）のごとく立体的に組み立てられる。
【００２３】
調理用紙袋２は、特に材質は限定されるものではないが、原料封入体１に油が含まれる場合は、耐熱耐油性を有する素材を用いた袋が望ましい。また、箱３に固定する上で、マチ部を有することが望ましい。例えば、以下に説明するように、図３に示す展開状態の素材シート２ａを折り曲げて接着することにより扁平状態で作られ、更に小さく折り畳まれた上で箱３内に入れられる。
【００２４】
素材シート２ａは、耐熱耐油性を有し、また適度に蒸気を通す紙で作られる。この紙としては白樺、樅等を原料とする超微繊維パルプを叩解して抄造した高密度のものを用いることができる。また、グラシン紙、硫酸紙、クラフト紙、上質紙等の両面をシリコン加工したものを用いることもできる。
【００２５】
図３に示すように、素材シート２ａの上下には左右方向に伸びる二本の折り線５，６により開口部の構成部分と底部の構成部分がそれぞれ設けられ、底部の構成部分の縁には調理用紙袋２の封止部７（図５（Ｆ）参照。）を形成するための接着剤であるヒートシール剤８が帯状に塗布される。素材シート２ａの中程には前壁部９が設けられ、前壁部９の左右にマチ部１０ａ，１０ｂがそれぞれ連設され、各マチ部１０ａ，１０ｂの外側には二分割された背壁部１１ａ，１１ｂがそれぞれ連設される。各マチ部１０ａ，１０ｂは素材シート２ａ上を上下方向に伸びる三本の折り線により形成され、中央線を谷折り線１２とし外線を山折り線１３，１４として前壁部９と背壁部１１ａ，１１ｂとの間に折り込まれるようになっている。背壁部１１ａ，１１ｂの側縁にはこの調理用紙袋２の胴部を筒状にするための接着剤である液状糊１５が帯状に塗布される。前壁部９と開口部の構成部分との境界には、開口部を閉じる閉じ片１６を形成するための谷折り線１７と山折り線１８が斜めに形成される。
【００２６】
この素材シート２ａは、図４（Ａ）に例示するように、耐熱耐油紙の巻取紙上に一定ピッチｐで形成される。この巻取紙にはあらかじめヒートシール剤８が巻取紙を横断するように一定ピッチｐで帯状に塗布されており、繰り出し時に液状糊１５が巻取紙の側縁に沿って帯状に塗布される。巻取紙は液状糊１５の塗布後更に走行しつつ幅方向に巻回され、液状糊１５の箇所で接着されて筒状に形成され、図４（Ｂ）に示すように、谷折り線１２と山折り線１３，１４で折られてマチ部１０ａ，１０ｂを与えられ、マチ部１０ａ，１０ｂを挟むように前壁部９と背壁部１１ａ，１１ｂを与えられる。この後、図４（Ｃ）に示すように、ヒートシール型１７でヒートシール剤８の塗布箇所がシールされ、図示しない切断刃により図５（Ｄ）に示す調理用紙袋２の胴部が巻取紙から切り離される。この調理用紙袋２の胴部のヒートシール剤８で接着された箇所は、図５（Ｄ）に示す折り線１８上で折り返され、同図（Ｅ）に示すように背壁部１１ａ，１１ｂに接着剤１９を塗布された後、同図（Ｆ）に示すようにさらに折り返されてこの接着剤１９により背壁部１１ａ，１１ｂに接着され封止部７とされる。このように封止部７は胴部を複数回折り返し複数箇所の接着剤８，１９で接着することにより形成されるので、油等の調味料の漏れ出しが好適に防止される。この図５（Ｆ）に示す調理用紙袋２は胴部を横断するように設けられる折り線２０ａ，２０ｂ，２０ｃ上で折り畳まれたうえで、図１に示したように箱２内に収納される。
【００２７】
この調理用紙袋２は、箱３から取り出された後、図２（Ａ）に示すように立体的に拡げられ、その開口部２１から上記トウモロコシ粒、調味料等を投入され、同図（Ｂ）に示すように開口部２１を閉じられ、同図（Ｃ）に示すように片隅の閉じ片１６が折り込まれて開口部２１の拡開が阻止される。開口部２１が閉じられた調理用紙袋２は電子レンジ内に入れられ加熱されるが、封止部７が胴部のヒートシール剤８による接着箇所を複数回折り返したうえに折り返し部分を接着剤１９により胴部に固定した構造となっているので、加熱中の袋底の剥がれが防止され、トウモロコシ粒や調味料の漏れ出しが防止される。開口部２１が閉じられた調理用紙袋２は図２（Ｃ）に示す起立状態のまま電子レンジ内に入れてもよいが、望ましくは図９に示すようにマチ部１０ａ，１０ｂを底にした横向きの起立状態で入れられる。このように調理用紙袋２がマチ部１０ａ，１０ｂを底にして起立することで、トウモロコシ粒は適度な密度で拡がって弾けやすくなり、弾け残りが低減される。
【００２８】
箱３は図６に示す紙製のブランク板３ａを組み立てることにより比較的薄い直方体形に形成される。
【００２９】
箱３のブランク板３ａは、左右方向に山折り線２２，２３，２４，２５を介して連設される貼着板２６、背板２７、側板２８、前板２９及び側板３０を備える。背板２７、側板２８、前板２９、側板３０の上部には山折り線３１を介してそれぞれ内天板３２、舌片３３、外天板３４、舌片３５が連設され、背板２７、側板２８、前板２９、側板３０の下部にはそれぞれ山折り線３６を介して内底板３７、舌片３８、外底板３９、舌片４０が連設される。
【００３０】
貼着板２６、背板２７、側板２８、前板２９及び側板３０が山折り線２２，２３，２４，２５上で折り曲げられ、貼着板２６が側板３０の内面に接着されることにより箱３の胴体が角筒状に形成され、内天板３２、舌片３３、外天板３４及び舌片３５が山折り線３１上で折り曲げられ、内天板３２が外天板３４の内面に接着されることにより箱３の上部が閉じられ、内底板３７、舌片３８、外底板３９及び舌片４０が山折り線３６上で折り曲げられ、内底板３７が外底板３９の内面に接着されることにより箱３の下部が閉じられる。これにより、図１及び図７（Ａ）に示すように箱３の組み立てが完了する。
【００３１】
図６乃至図８に示すように、箱３には各種切り取り線によって開封部が設けられる。開封部は具体的には三箇所に分割されている。
【００３２】
第一の開封部は、背板２７の上部を左右に横切る二本の横切り取り線４１，４２と、下側の切り取り線４２の端から上天板３４へと側板２８，３０及び貼着板２６上を斜めに伸びる二本の斜め切り取り線４３，４４とにより形成される。図７（Ｂ）に示すように、二本の横切り取り線４１，４２に囲まれた箇所を開封用ジッパーとして引き裂き、次いで斜め切り取り線４３，４４上で側板２８，３０を分断することにより天板３２，３４が開かれ、中身の原料封入体１、調理用紙袋２、調味料封入体４の取り出しが可能になる。
【００３３】
第二の開封部は、背板２７を上記下側の切り取り線４２の中途から下降する二本の縦切り取り線４５，４６と、各縦切り取り線４５，４６の下端から斜めに接近するように下降する二本の傾斜切り取り線４７，４８と、各傾斜切り取り線４７，４８の下端から内底板３７へと下降する二本の降下切り取り線４９，５０と、二本の降下切り取り線４９，５０の先端間を結ぶ連結切り取り線５１とにより形成される。図８（Ｃ）に示すように、内底板３７の二本の降下取り線４９，５０と連結切り取り線５１とに挟まれた箇所から引き裂き、次いで傾斜切り取り線４７，４８で挟まれた箇所と縦切り取り線４５，４６で挟まれた箇所を順に引き裂くことによって、背板２７上に略Ｕ字形の溝が形成される。
【００３４】
第三の開封部は、上記降下切り取り線４９，５０の下端から内底板３７の中途まで伸びる二本の短切り取り線５２，５３と、短切り取り線５２，５３に対応するように外底板３９に設けられる二本の重なり切り取り線５４，５５とにより形成される。二本の短切り取り線５２，５３の終端間と二本の重なり切り取り線５４，５５間はそれぞれ山折り線５６，５７で結ばれている。図８（Ｄ）に示すように、内底板３７の二本の短切り取り線５２，５３に挟まれた箇所と外底板３９の二本の重なり切り取り線５４，５５に挟まれた箇所とを切り裂き、山折り線５６，５７上で折り曲げることによって、箱３の底板３７，３９上に狭い溝が形成される。
【００３５】
図９に示すように、箱３の開封部は開封後に調理用紙袋２を保持する手段として機能するようになっている。すなわち、切り離された後の箱残部の構造体はトウモロコシ粒入り調理用紙袋の架台として使用され、マチ部１０ｂを底にして横向きとされた調理用紙袋２は、その本体が箱３の背板２７上における幅広の溝内に嵌め込まれ、調理用紙袋２の折り曲げられた開口部２１が背板２７上における幅狭の溝と底板３７，３９における幅狭の溝とに嵌め込まれることにより横倒しされた箱３上に倒れないように保持される。これにより、調理用紙袋２を箱３ごと電子レンジ内に入れ、調理中に調理用紙袋２の位置及び姿勢を適正に保持することができる。また、調理後に箱３を持って調理用紙袋２を電子レンジ外に取り出すことができる。
【００３６】
また、図９に示すように、箱３の開封後の開封部は調理用紙袋２を箱底から浮き上がった状態で保持するようになっている。すなわち、開封された箱３の残部の構造体が調理用紙袋２の架台として使用され、箱３の背板２７が天面となり、内天板３２、外天板３４、側板２８，３０、内底板３７、外底板３９等がこの箱３の側面となるように置かれる。マチ部１０ｂを底にしてほぼ水平に横向きとされた調理用紙袋２は、その開口部２１側が箱３の底板３７，３９における溝の山折り線５７に当接し、封止部７側が箱３の天板３２，３４における切り取り線４１に当接することにより、箱３の前壁２９及び天板３２，３４から浮き上がった状態で保持される。このときの浮き上がりが底から５乃至２０ｍｍになるように切り取り線４１及び山折り線５７の高さで調節する。このためトウモロコシ粒の入った調理用紙袋２を箱３ごと電子レンジ内に入れると、調理用紙袋２がレンジ室の床やターンテーブルから浮き上がった状態で保持されるので、トウモロコシ粒が弾けやすくなる。
【００３７】
次に、上記構成のポップコーン調理用包装体の作用について説明する。
【００３８】
まず、図７（Ａ）に示すポップコーン調理用包装体における箱３の第一の開封部に指を掛けて、同図（Ｂ）のごとく横切り取り線４１，４２に沿って切除する。さらに、斜め切り取り線４３，４４上で側板２８，３０を破断させて図８（Ｄ）のごとく天板３２，３４を開き、箱３の中身の原料封入体１、調理用紙袋２等を箱３外に取り出す。
【００３９】
続いて、連結切り取り線５１の箇所に指を掛けて、図８（Ｃ）のごとく第二の開封部を降下切り取り線４９，５０、傾斜切り取り線４７，４８、縦切り取り線４５，４６へと切除して行く。また、同図（Ｄ）のごとく第三の開封部を短切り取り線５２，５３と重なり切り取り線５４，５５に沿って切り開き、山折り線５６，５７上で折り曲げる。
【００４０】
一方、図２（Ａ）のごとく調理用紙袋２を開いて膨らませ、原料封入体１を開封し、トウモロコシ粒を膨らんだ調理用紙袋２内に投入する。続いて同図（Ｂ）のごとく調理用紙袋２の開口部２１を折り曲げて開口部２１を閉じ、さらに同図（Ｃ）のごとく閉じ片１６の箇所を折り曲げて開口部２１を完全に閉じる。
【００４１】
次に、図９のごとくこの閉じた調理用紙袋２を横向きにして開封し横置きした箱３上に乗せて固定する。すなわち、調理用紙袋２をマチ部１０ｂが底になるように横向きとし、その本体を箱３の背板２７上における幅広の溝内に嵌め込み、調理用紙袋２の折り曲げられた開口部２１を背板２７上における幅狭の溝と底板３７，３９における幅狭の溝とに嵌め込む。これにより、調理用紙袋２は箱３上に倒れないように保持される。
【００４２】
その後、調理用紙袋２を箱３ごと電子レンジ内に入れ、調理を開始する。調理用紙袋２は横置きされるので、狭い電子レンジ内へも簡易に挿入可能である。調理中、調理用紙袋２は箱３上に保持されその位置及び姿勢が適正に維持される。
【００４３】
また、図９に示すように、調理用紙袋２は箱底から浮き上がった状態で保持されるので、トウモロコシ粒が弾けやすくなり、弾け残りが低減する。
【００４４】
調理が終了すると、箱３を持って調理用紙袋２を電子レンジ外に取り出す。従って、熱さを感じることなく簡易に調理用紙袋２を電子レンジの外に取り出すことができる。
【００４５】
調理用紙袋２の閉じ片１６と開口部２１を開け、そこから開封した調味料封入体４に封入されている調味料を移し入れ、再び開口部２１を閉じて、調理用紙袋２をよく振ることで、弾けたポップコーン全体に調味料が付着し、味付けすることができる。
【００４６】
【実施例】
乾燥したトウモロコシ粒３０ｇとサラダ油１２ｇの入った原料封入体を開封し、耐熱耐油性を有する超微繊維パルプを叩解して抄造した高密度の調理用紙袋内に投入し、調理用紙袋の開口部及び閉じ片を折り曲げて開口部を完全に閉じた。
【００４７】
次に、この調理用紙袋を横向きにして、開封し横置きした箱に乗せて固定した。
【００４８】
その後、調理用紙袋を箱ごと電子レンジ内に入れ、加熱を開始し、弾ける音が３〜４秒間隔になったところで加熱を終了した。
【００４９】
調理用紙袋の底面と箱の底面との間の空間の高さは０，５，２０，２５ｍｍの各大きさに調節し、トウモロコシ粒の弾け残り数について比較を行った。
【００５０】
この結果、表１に示すように、調理用紙袋の底面を５〜２０ｍｍ持ち上げることでトウモロコシ粒の弾け残り数に改善が見られた。表１は調理時における調理用紙袋の底の浮き上がり高さを種々変更した場合のトウモロコシ粒の弾け残り数を示す。
【００５１】
【表１】
2004307017.tif 000003
【００５２】
＜実施の形態２＞
図１０乃至図１２に示すように、この実施の形態２では実施の形態１の場合とは異なる構造の箱が使用される。
【００５３】
図１０に示すように、この箱５８の側面となる両側板２８，３０に夫々二本の切り取り線５９，６０が平行に形成されることにより、この箱５８の開封用ジッパーが形成される。また、両開封用ジッパーの始端同士と終端同士を結ぶ切り取り線６１，６２が天面となる背板２７上に形成される。
【００５４】
図１１に示すように、各開封用ジッパーを切り取り線５９，６０上で引き裂き、背板２７上の切り取り線６１，６２を破断させることで、背板２７に空洞が形成される。
【００５５】
図１２に示すように、この箱５８の残部構造体が調理用紙袋２の架台として利用される。まず、トウモロコシ粒を入れられ開口部２１を閉じられた調理用紙袋２が横向きに立てた状態で空洞内に収納され、調理用紙袋２の側面が切り取り線６２の破断縁で挟まれ、調理用紙袋２の底面が開封用ジッパーの切り取り線６０の破断縁でこの架台の底面である前板２９から浮上するように支持される。その後、調理用紙袋２が架台ごと電子レンジ内に収納され、加熱調理される。
【００５６】
なお、この実施の形態２において、実施の形態１の箱と同じ部分には同じ符号を用いて示すこととし、詳細な説明は省略する。
【００５７】
＜実施の形態３＞
図１３乃至図１５に示すように、この実施の形態３では実施の形態１，２の場合とは異なる構造の箱が使用される。
【００５８】
図１３に示すように、この箱６３の天面となる背板２７上にこの背板２７を横断するように第一の開封用ジッパーが平行に伸びる二本の切り取り線６４，６５により形成される。また、この箱６３の側面となる両側板２８，３０に、上記第一の開封用ジッパーに連なる第二の開封用ジッパーが夫々開蓋側から反開蓋側へと斜めに伸びる二本の切り取り線６６，６７により形成される。第二の開封用ジッパーの終端は反開蓋側の側面よりも多少手前で箱６３の底面である前板２９と交差せしめられ、そのため図１４に示すように開封後に天面の背板２７を起立させると底面が底板３７よりも上方に浮上する。
【００５９】
図１４に示すように、第一及び第二の開封用ジッパーを切り取り線６４，６５，６６，６７上で引き裂き、背板２７を前板２９上に起立させることで、箱６３上に空洞が形成される。
【００６０】
図１５に示すように、この箱６３の残部構造体が調理用紙袋２の架台として利用される。まず、トウモロコシ粒を入れられ開口部２１を閉じられた調理用紙袋２が横向きに立てた状態で第一のジッパーの切断縁６１と背板２７の内面との間に挟まれ、調理用紙袋２の底面が箱６３の底面に当接する。その後、調理用紙袋２が架台ごと電子レンジ内に収納され、加熱調理される。
【００６１】
なお、この実施の形態３において、実施の形態１の箱と同じ部分には同じ符号を用いて示すこととし、詳細な説明は省略する。
【００６２】
【発明の効果】
請求項１に係る発明によれば、トウモロコシ粒を封入した原料封入体と、原料封入体からトウモロコシ粒が移し替えられる調理用紙袋と、原料封入体及び調理用紙袋を収納する箱とを具備したポップコーン調理用包装体であるから、トウモロコシ粒を原料封入体に封入し、この原料封入体を別個の調理用紙袋と共に箱に入れて保管、運搬等を行い、調理時に原料封入体を開封することができ、原料の鮮度、品質を適正に維持することができる。また、調理時に原料を調理用紙袋に移し替えるので、狭い電子レンジ内へ適度な容積に加減して円滑に入れることができる。
【００６３】
請求項２に係る発明によれば、請求項１に記載のポップコーン調理用包装体において、原料封入体に調味料が加えられるか又は調味料を封入した調味料封入体が箱に収納されたポップコーン調理用包装体であり、調味料が調理用紙袋と別個に箱内に収納され保管、運搬等されるので、調味料の例えば油分の漏れ出しが防止される。
【００６４】
請求項３に係る発明によれば、請求項１又は請求項２に記載のポップコーン調理用包装体において、箱の開封部が開封後にトウモロコシ粒の入った調理用紙袋を水平かつ箱の底面との間に空間を保った状態で固定することができるように形成されたポップコーン調理用包装体であるから、箱の開封部を開封し、原料封入体と調理用紙袋を取り出し、調理用紙袋に原料を移し替え、調理用紙袋を箱の開封部に装着して箱ごと電子レンジ内に入れることができる。従って、電子レンジ内で調理中に調理用紙袋の位置及び姿勢を適正に保持することができ、また調理後箱を持って調理用紙袋を電子レンジ外に取り出すことができる。
【００６５】
請求項４に係る発明によれば、請求項３に記載のポップコーン調理用包装体において、調理用紙袋が５乃至２０ｍｍ箱底から浮き上がった状態で保持することができるように形成されたポップコーン調理用包装体であるから、調理用紙袋がレンジ室の床から浮き上がった状態で保持され、トウモロコシ粒が弾けやすくなり、弾け残りが低減する。
【００６６】
請求項５に係る発明によれば、箱の天面及び一対の対向側面上を連なって伸びる開蓋用の切り取り線と、天面上の切り取り線と共に開封用ジッパーを形成し、開封後に調理用紙袋の底面の支持縁となる他の切り取り線と、箱の天面上を切り取り線上から反開蓋側の側面へと伸び、切断後に調理用紙袋の周面の支持縁となる二本の切り取り線と、二本の切り取り線に連なるように反開蓋側の側面上を伸び、切断後に調理用紙袋の開口部を挟持する溝となる切り取り線とが箱に設けられた請求項３に記載のポップコーン調理用包装体であるから、天面上の開封用ジッパーを切り取り線に沿って引き裂き、一対の対向側面上の切り取り線を破断させ、破断部で押し開くことにより箱の開蓋が行われ、中身の取り出しが可能になる。次に、天面上の二本の切り取り線を破断させ両切り取り線で挟まれた箇所を除去することで、天面上に調理用紙袋を収納する空洞が形成される。また、反開蓋側の側面上の切り取り線を破断させることで、この側面上に溝が形成される。トウモロコシ粒等を入れ開口部を閉じた調理用紙袋を横向きに天面上にあてがうと、調理用紙袋の周面が二本の切り取り線の破断縁に挟まれ、調理用紙袋の底面が、切り取り線の破断後の支持縁に支持され、調理用紙袋の開口部が切り取り線の破断後の溝内に挟まれる。このように、開封後の箱残部の構造体を調理用紙袋の架台として利用することができ、この架台ごと紙袋を電子レンジ内に収納し、電子レンジ内で浮かせた状態で加熱することができるので、適正なポップコーンの調理を行うことができる。
【図面の簡単な説明】
【図１】本発明に係るポップコーン調理用包装体を示す斜視図である。
【図２】ポップコーン調理用包装体における調理用紙袋の使用手順を示す斜視図であり、（Ａ）は調理用紙袋を拡げた状態、（Ｂ）は内容物を入れた後調理用紙袋の開口を閉じた状態、（Ｃ）は調理用紙袋の開口部を折り曲げた状態をそれぞれ示す。
【図３】ポップコーン調理用包装体における調理用紙袋の展開図である。
【図４】ポップコーン調理用包装体における調理用紙袋の製造方法を示す斜視図であり、（Ａ）は調理用紙袋の素材シートに接着剤を塗布する工程、（Ｂ）は素材シートから胴部を形成する工程、（Ｃ）は胴部の底をシールする工程をそれぞれ示す。
【図５】ポップコーン調理用包装体における調理用紙袋の製造方法を示す平面図であり、（Ｄ）は胴部の底がシールされた調理用紙袋、（Ｅ）は胴部の底が折り曲げられ更に接着剤が塗布された調理用紙袋、（Ｆ）は胴部の底が更に折り曲げられた調理用紙袋胴部をそれぞれ示す。
【図６】ポップコーン調理用包装体における箱の展開図である。
【図７】ポップコーン調理用包装体における箱を開封する手順を示す斜視図であり、（Ａ）は開封前、（Ｂ）は開封の第一段階をそれぞれ示す。
【図８】ポップコーン調理用包装体における箱を開封する手順を示す斜視図であり、（Ｃ）は開封の第二段階、（Ｄ）は開封の第三段階をそれぞれ示す。
【図９】ポップコーン調理用包装体の調理時の使用状態を示す斜視図である。
【図１０】本発明の実施の形態２に係る箱の開封前の斜視図である。
【図１１】図１０に示す箱の開封後の斜視図である。
【図１２】図１１に示す箱の使用状態を示す斜視図である。
【図１３】本発明の実施の形態３に係る箱の開封前の斜視図である。
【図１４】図１３に示す箱の開封後の斜視図である。
【図１５】図１４に示す箱の使用状態を示す斜視図である。
【符号の説明】
１…原料封入体
２…調理用紙袋
３，５８，６３…箱
４…調味料封入体
７…封止部
１０ａ，１０ｂ…マチ部
２１…開口部
【図１】
2004307017.tif 000004
【図２】
2004307017.tif 000005
【図３】
2004307017.tif 000006
【図４】
2004307017.tif 000007
【図５】
2004307017.tif 000008
【図６】
2004307017.tif 000009
【図７】
2004307017.tif 000010
【図８】
2004307017.tif 000011
【図９】
2004307017.tif 000012
【図１０】
2004307017.tif 000013
【図１１】
2004307017.tif 000014
【図１２】
2004307017.tif 000015
【図１３】
2004307017.tif 000016
【図１４】
2004307017.tif 000017
【図１５】
2004307017.tif 000018